(57)【特許請求の範囲】
【請求項１】
精液を付着させるための表面と、
取付面への固定手段を有する裏面と
を有し、
一のシート部材を二つ折りにし、折り目上のある点から当該折り目と平行な一つの重なった辺上のある点までを繋ぐ帯状の領域を接合することにより、展開されると、前記表面に付着した精液を溜める貯留部を備える
採精用シート。
【請求項２】
前記固定手段は粘着部材である
ことを特徴とする請求項１に記載の採精用シート。
【請求項３】
前記裏面に形成され、前記貯留部の展開を支援する摘み部を更に有する
ことを特徴とする請求項１または２に記載の採精用シート。
【発明の詳細な説明】
【技術分野】
【０００１】
本発明は、精子を採取するための器具に関する。
【背景技術】
【０００２】
人工授精、体外受精等の生殖補助医療（ＡＲＴ）において、患者が自慰行為により射精を行い、所定の容器に精子を採取することが行われている（特許文献１）。
【０００３】
この際、患者は一方の手で容器を持ったまま、他方の手で男性性器を刺激する態勢を強制されることになる。通常、容器の大きさには制限があり、また射精時は興奮状態にあるから、容器をめがけて正確に射精することは必ずしも容易ではない。また、回収率を上げようとして容器の外部に射精されてしまった精子を容器に回収するとなると、細菌感染などのリスクが伴う。
【先行技術文献】
【特許文献】
【０００４】
【特許文献１】特開２０１９−１２６４５３号公報
【発明の概要】
【発明が解決しようとする課題】
【０００５】
本発明は、射精された精子の回収率を向上させることを目的とする。
【課題を解決するための手段】
【０００６】
本発明は、一の態様において、精液を付着させるための表面と、固定手段を有する裏面とを有し、展開されると、前記表面に付着した精液を溜める貯留部が形成される採精用シートを提供する。
【発明の効果】
【０００７】
本発明によれば、射精された精子の回収率が向上する。
【図面の簡単な説明】
【０００８】
【図１】使用前（折りたたまれた状態）の採精用シート１の図。
【図２】使用状態（展開された状態）の採精用シート１の斜視図。
【図３】使用前（折りたたまれた状態）の採精用シート１Ａの図。
【図４】使用前（折りたたまれた状態）の採精用シート１Ｂの図。
【図５】使用前（折りたたまれた状態）の採精用シート１Ｃの図。
【発明を実施するための形態】
【０００９】
＜実施例＞
採精用シート１の概要および使用方法について説明する。
図１は、採精用シート１の使用前（例えば販売時）の状態を示す図、図２はユーザが使用する状態の斜視図である。ユーザは、クリニックや自宅等において、図１に示す状態の採精用シート１を広げて、図２に示すように貯留部ＲＢが鉛直下方になるような位置に取付面Ｗ（壁面など）に対して固定する。この状態において、内側表面（以下、単に表面という場合がある）に付着した精液を溜める貯留部ＲＢ部が形成される。ユーザは、的部ＲＡをめがけて射精を行う。付着した精液は、重力によって表面を伝って貯留部ＲＢに溜まる。ユーザは貯留部ＲＢに溜まった精液をシリンジ（図示せず）などの器具を用いて吸い取り、所定の保存容器（図示せず）に入れることで、精液採取作業が完了する。なお、使用済みの採精用シート１は破棄される。
【００１０】
採精用シート１の構造および製法について詳細に説明する。
採精用シート１の大きさは、例えばＡ４サイズ（２９７×２１０ｍｍ）である。採精用シート１の素材については、少なくとも精液が付着する表面は撥水性を有することが好ましい。撥水性とは、水や泥、油、タンパク質(精液など)をはじく性質をいう。代表的な撥水加工処理方法としては、ホットメルトタイプやラッカーコートタイプなどがあり、いずれを採用してもよい。薬剤としてはフッ素化合物やシリコン樹脂を用いてシート素材を表面処理することで実現することができる。あるいは、ポリエチレングリコールにグルコースやスクロースを組み合わせて用いてもよい。
本実施例においては、既存のどのような撥水加工処理を用いてもよいが、いわゆるロータス効果が生じるような表面の凹凸構造を実現すべく、表面処理を行って水との高い接触角（例えば１７０度以上）を達成した、いわゆる超撥水性素材を用いることが好ましい。また、裏面は、上述する固定部１２およびまたは摘み部１３を容易に設けることができる素材が好ましい。
【００１１】
例えば、採精用シート１の素材として、厚さ１μｍ〜３０μｍ（マイクロメートル）程度のＰＥＴ（ポリエチレンテレフタレート）フィルムであって裏面となる面と、撥水加工を施した厚さ４０μｍ〜１００μｍ程度のＬ―ＬＤＰＥ（直鎖状低密度ポリエチレン）フィルムであって、表面となる面とを重ねた二重構造のシートとして成形したものを用いることができる。より好ましくは、上記ＰＥＴフィルムの厚さは１２μｍ、上記Ｌ―ＬＤＰＥフィルムの厚さは７５μｍである。厚みがあると取り扱い（折り畳みや展開の際）に困難となる一方で、ある程度の重量があったほうが展開時における貯留部ＲＢの形状が安定するところ、上述のように全体として約５０〜１００μｍ程度の厚みとすることで、取り扱い性と形状安定性とが両立する。
また、表面には抗菌加工を施してもよい。なお、上記シート素材の物性、厚さ、サイズは、一例にすぎず、目的に応じて適宜設定可能である。
【００１２】
図１に示すように、採精用シート１は、辺Ｌ１、Ｌ２、Ｌ３、Ｌ４を有する矩形のシート状の素材を、中心線Ｃを中心として縦に二つ折りにし、一辺Ｌ４を接合することにより形成される。図１においては、接合部１１（図では幅ｄの矩形）が形成されている。なお、接合処理は、例えば、圧着、溶着、接着、その他任意の手法を採用できる。裏面には、固定部１２、摘み部１３がそれぞれ２つ、中心線Ｃに対して対称な位置に設けられる。
【００１３】
固定部１２は、両面粘着テープ等の粘着部材であって、一方の面が予め採精用シート１の裏面に接着されており、他方の面には保護シールが貼られており、使用時にユーザに保護シールを剥がして所望の位置に接着できるようになっている。
摘み部１３は、シート状の部材であって、その上半分が採精用シート１の外側の面に接着され、下半分は接着されず、ユーザが採精用シート１を展開する際に摘まむことができようになっている。
【００１４】
採精用シート１によれば、ユーザは自慰行為中に容器を持っている必要がなく、身長や体型に応じた適切な位置に採精用シート１を固定することができるので、リラックスした体勢で射精を行うことができる。加えて、従来の容器に比べて、射精された精子を回収できる領域が大きいため、射精の方向が狙いから多少ずれたとしても、回収不能になる虞が低減する。加えて、シート部材から簡単な加工で製造可能であるので製造コストを抑えることができる。よって、一回使い切りという制約があるにもかかわらず安価に提供することができる。また、ユーザは摘み部１３をつまむことで、精液が接触する可能性のある内側表面に触らずに採精用シート１を展開して採精用シート１を使用可能な状態にセットすることができるので、回収した精液に雑菌が入り込むといった衛生面での心配がない。
【００１５】
また、近年、一般人が、医療機関以外（自宅等）で採精を行い、採取した精子をシリンジ等を用いて膣内に注入するという手法も増えている（便宜上、本明細書ではこれを「シリンジ法」と呼ぶ。）。具体的には、ユーザは、シリンジとプラスチックの折りたたみカップなどがセットになった商品（便宜上、本明細書ではこれを「シリンジ法キット」と呼ぶ。）を購入して、上述の採精や膣内への注入を行う。ところが、このようなシリンジ法キットは、パッケージサイズ的などの制約上カップを大きくすることが困難であり、非常に使い勝手が悪かった。本発明に係る採精用シート１によれば、シート状であるので、折りたためばコンパクトになり、且つ展開することにより精液を回収する面積をサイズが大きくなるので、シリンジ法キットに組み込むのにも適している。
【００１６】
＜変形例＞
接合部１１は、採精用シート１の一つの辺に沿って形成される必要はない。例えば、図３に示す採精用シート１Ａのように、中心線Ｃ上の最下端から辺Ｌ２（Ｌ３）上の点Ｑ１に至る弧状の帯領域として接合部１１Ａを形成してもよい。なお、接合部１１Ａより下側の領域ＲＥ１は、接合部１１Ａを形成した後に切り落としてもよいし、そのまま残しておいてもよい。
あるいは、図4に示す採精用シート１Ｂのように、弧の中心が辺Ｌ４の中心と接するような帯領域として接合部１１Ｂを形成してもよい。接合部１１Ｂよりも下部の領域ＲＥ２は、接合部１１Ｂを形成した後に切り落としてもよいし、そのまま残しておいてもよい。
あるいは、図５に示す採精用シート１Ｃのように、辺Ｌ４に沿った帯部分と、辺Ｌ４からＬ２（Ｌ３）上の点まで伸びる帯部分と、辺Ｌ４から中心線Ｃ上の点まで伸びる帯部分と、を組み合わせた帯領域として接合部１１Ｃを形成してもよい。接合部１１Ｃよりも下部の領域ＲＥ３は、接合部１１Ｂを形成した後に切り落としてもよいし、そのまま残しておいてもよい。
要するに、本発明においては、展開すると精液を溜めるような貯留部（換言すると、窪みないしポケット部）が出現するように接合部を形成すべく、一のシート部材が接合されていればよい。なお、上述した接合部の形状はあくまで例示であって、実現させたい貯留部の形状に基づいて適宜設計することができる。ただし、接合部（すなわち形成される貯留部の形状）は中心線を基準として対称であることが好ましい。
【００１７】
摘み部１３は省略してもよい。この場合であっても、接合部１１の部分は持ち手として機能するため、ユーザは展開時に接合部１１を摘まむようにすれば、内側に触れることなく展開できる。
【００１８】
固定部１２を省略してもよい。すなわち、固定部１２が設けられた状態で販売されるのではなく、ユーザが所望の位置に両面テープを張り付けてもよい。また、固定部１２の形状、位置、サイズ、固定の方法、機構は問わない。例えば、採精用シート１の固定方法としては、粘着に替えて、採精用シート１の上端部の左右に箇所に孔を開け、その孔にユーザが別途用意したＳ字フックその他のフック部材を用いて、棒状の部材などに吊るすことによって固定してもよい。あるいは、採精用シート１に孔や粘着シートなどの固定機構を一切設けず、ユーザが別途要したクリップ付きスタンドなどの固定部材を用いて固定してもよい。
なお、固定部１２を設ける位置については、採精用シート１の素材の強度にも依存するが、図２に示す形状を維持することができれば、取り付け位置は採精用シート１の上端付近である必要はない。もっとも、取り付ける際にユーザが内側に触れたとしても、その触れた箇所の上に精液が到達する可能性が小さいという衛生上の観点においては、採精用シート１の中心部（精液が付着する可能性が最も高い領域）からできるだけ離れた位置に設けることが好ましい。
【００１９】
中心線Ｃには折り目を形成してもよい。また、横の折り目をつけてもよい。例えば三等分した位置に横方向の折り目をつけることで、複数枚の採精用シート１を折りたたんで梱包することで、コンパクトなパッケージングが実現できる。
【００２０】
的部ＲＡに、同心円状の的を模した図形など、射精の方向の目安となる目印を印刷してもよい。
【００２１】
要するに、本発明に係る採精用シートは、精液を付着させるための表面と、固定手段を有する裏面とを有し、展開されると前記表面に付着した精液を溜める貯留部が形成されていればよい。
【符号の説明】
【００２２】
１、１Ａ、１Ｂ、１Ｃ：採精用シート
１１、１１Ａ、１１Ｂ、１１Ｃ、：接合部
１２：固定部
１３：摘み部
【要約】
【課題】射精された精子の回収率を向上させること。
【解決手段】採精用シート（１、１Ａ、１Ｂ、１Ｃ）は、精液を付着させるための表面（的部ＲＡ）と、固定手段（固定部１２）を有する裏面とを有し、展開されると、前記表面に付着した精液を溜める貯留部（ＲＢ）が形成される。ユーザは、クリニックや自宅等において、採精用シートを広げて、貯留部が鉛直下方になるような位置に取付面Ｗ（壁面など）に対して固定する。ユーザは、的部をめがけて射精を行う。付着した精液は、重力によって表面を伝って貯留部に溜まる。
【選択図】図２【図１】
0006837693.tif 000002
【図２】
0006837693.tif 000003
【図３】
0006837693.tif 000004
【図４】
0006837693.tif 000005
【図５】
0006837693.tif 000006